(57)【特許請求の範囲】
【請求項１】
高圧送電鉄塔等の構築物に用いる鳥害防止方法であって、発振周波数２．４５ＧＨｚ、出力５００Ｗ以上のマイクロ波を出力するマイクロ波発振器と、マイクロ波発振器から発振されるマイクロ波を略平行に放射するアンテナと、アンテナを予め設定された範囲で左・右に振らせる走査機構を備え、鳥類にアンテナからマイクロ波を照射し、照射部位に火傷を生じさせ、鉄塔等への鳥類の飛来等を防止することを特徴とする鳥害防止方法。
【発明の詳細な説明】
【０００１】
【産業上の利用分野】
本発明は、高圧送電鉄塔等の構築物への鳥類の飛来や巣作りを防止する鳥害防止装置に関し、さらに詳しくはマイクロ波を用いた鳥害防止装置に関する。
【０００２】
【従来の技術】
最近、鳥類の異常繁殖により、送電線鉄塔やパラボナアンテナ鉄塔等にカラスや鳩が巣作りをしたり、電線間にカラス等が入り込んで短絡事項を発生するケースが増加してきており、高圧送電線路の送電故障件数のうち、鳥害による故障件数は１０％を超えるまでになっている。かかる故障は送電線への鳥の接触、巣作りのために運んだ鉄線の接触による高圧電線の短絡によるものが殆どであり、事前の予測がつかないことから発生時の影響が大きくなることが多い。
【０００３】
近年のように、電子機器が普及した高度情報化社会においては、一瞬の停電や電圧降下も許されず、そのため下記<1>〜<4>に示すような各種の鳥害防止対策が実施されている。
<1> 反射テープや模型カラスをおいて脅す視覚方式
<2> 針山をおいて止まりにくくしたり、ロープを垂らし体に触れさせる触覚方式
<3> 嫌いな音を発する聴覚方式
<4> 営巣場所を送電線路から離す誘導方式
しかし、上述したような方式による鳥害防止装置は、いずれも痛みを伴わないため、学習能力や慣れによって効果が時間とともに薄れ、防除効果が持続しないという問題がある。
【０００４】
【発明が解決しようとする課題】
本発明は、上述した学習能力や慣れによる鳥類の防除効果が減少するという課題を解決しようとするものである。
【０００５】
【課題を解決するための手段】
本発明の鳥害防止装置は、高出力のマイクロ波を平行に近いビームにし、このビームを扇状に振らせ鳥類に照射するものである。
本発明の鳥害防止装置によれば、マイクロ波を高圧送電鉄塔等の支柱や腕金に沿って左右に振って照射することにより、構造物に飛来したり、また止まっている鳥類にマイクロ波が照射され、鳥体内部の一部が温度上昇し火傷することになり、再飛来を防止できる。
【０００６】
また、本発明の鳥害防止装置によれば、マイクロ波発振器として家庭用電子レンジ等で使用されているマイクロ波管を使用できるので、低コストな鳥害防止装置を提供できる。
さらに、従来の威嚇音や鳥類の視覚を利用した刺激方法では、学習による慣れにより防除効果の持続性がないという問題があったが、本発明ではマイクロ波により鳥類に肉体的苦痛を与えるため、学習による慣れは生じにくく、持続的な防除効果が期待できる。
【０００７】
【発明の実施の形態】
本発明の請求項１に記載の発明は、高圧送電鉄塔等の構築物に用いる鳥害防止装置であって、マイクロ波発振器とマイクロ波発振器から発振される放射電波の広がり角を狭くし、略平行なマイクロ波とするアンテナと、アンテナを左・右に振らせる走査機構からなることを特徴とするもので、本発明の鳥害防止装置によれば、マイクロ波発振器として家庭用電子レンジ等で使用される発振周波数２．４５ＧＨｚ、出力９００Ｗのマイクロ波管を使用できるので、低コストな鳥害防止装置を提供でき、さらに、従来の威嚇音や鳥類の視覚を利用した刺激方法では、学習による慣れにより防除効果が消滅するという問題があったが、本発明では、マイクロ波により鳥類に肉体的苦痛を与えるため、学習による慣れは生じにくく、持続的に防除効果を発揮できるという作用を有する。
【０００８】
以下、本発明の実施の形態について、図１〜４を用いて説明する。
図１は本発明の鳥害防止装置２のブロック図、図２は高圧送電鉄塔１の下部に鳥害防止装置２を設置し、垂直方向にマイクロ波を照射する状態を示す正面図、図３は図２の側面図、図４は平面方向にマイクロ波を照射する状態を示す平面図である。
【０００９】
図１において、６はマイクロ波発振器、７は同軸ケーブル、８はアンテナ、９はアンテナ８を予め設定された範囲で往復回動するモータ、１０はモータ９の回動をアンテナ８に伝達する揺動軸である。
マイクロ波発振器６は家庭用の電子レンジで一般的に使用されている発振周波数２．４５ＧＨｚ、出力５００Ｗのマイクロ波管が用いられ、マイクロ波は同軸ケーブル７の伝送線路に伝播する。また、同軸ケーブル７に導波管を用いることもできる。
【００１０】
アンテナ８にはパラボナアンテナ・ホーンアンテナが用いられ、マイクロ波はアンテナ８によって平行に近いビームとなって放射される。走査機構９はアンテナ８を左・右に振らせるもので、モータの正・逆転によって、軸１０を左・右に回動させ、軸１０の先端に設けたアンテナ８を左・右に振らせる。これにより、平行に近いマイクロ波のビームが扇状に振られて放射され、広範囲に走査が可能となる。
【００１１】
図２，３は本発明の鳥害防止装置を高圧送電鉄塔１の下部に設け、上方に向けてマイクロ波を照射する状態を示すものである。図において、鳥害防止装置２から上方に向けて平行に近いマイクロ波のビームが鳥類の止まっている構造部材３，４，５に沿って扇状に走査される。
図３で示しているように、構造部材３，４，５のいずれかに鳥類が止まり、体の一部が構造部材から突出していると、扇状に走査する平行に近いマイクロ波のビームが鳥類を横切り、マイクロ波が照射され、鳥類の体内温度を上昇し、照射された部位を火傷にする。
【００１２】
図４は構造部材３，４，５に沿って平行となるように走査する実施例を示す図である。図２，３に示す実施例では構造部材の突出部分１１，１２に飛来した鳥類にマイクロ波を照射することはできない。このようなときは構造部材３，４，５の上に鳥害防止装置２を設置し、マイクロ波のビームを水平方向に１８０振らせることによって、各構造部材３，４，５上に飛来する鳥類にマイクロ波を照射し、鳥類の再飛来を防止できる。この場合、構成部材３，４，５には走査機構とアンテナを設置し、マイクロ波発振器を分離し、高圧送電鉄塔１の下部に設置することもできる。
【００１３】
次に、マイクロ波に対する鳥の忌避反応について説明する。忌避反応を確認するため下記の試験を行った。
−温度測定方法−
本試験では出力変更も行わず、導波管口からカラスまでの距離を０．５および１０ｃｍに変え、これらについて下記の項目に従い、３羽ずつ合計９羽について照射した。
【００１４】
<1>  胸部の体表から深さ１ｍｍに熱電対のセンサ部を埋め込んだ。
<2>  熱電対の端子をＸ−Ｙレコーダに接続した。
<3>  Ｘ−Ｙレコーダの動作開始５秒後、マイクロ波を照射した。
<4>  最高温度到達後、マイクロ波照射を停止した。
<5>  照射中のカラスの行動をビデオカメラにより録画した。
【００１５】
【結果】
マイクロ波照射による最高到達温度ならびにその到達時間を図５に示す。カラスと導波管との距離が０ｃｍ、５ｃｍ、１０ｃｍと長くなるに従って、最高到達温度はそれぞれ１０７．０℃，９３．３℃，８３．２℃と低くなった。また、その温度上昇に要する時間は４０．３秒，３６．７秒，５２．６秒と長くなる傾向が認められた。
【００１６】
カラスは、マイクロ波を照射すると口を開け舌を垂らしたり、足をばたつかせたりしている行動が認められた。
さらに、マイクロ波照射開始から「口を開ける」、「体をよじる」行動を示すまでの時間を求め、これを図６に示す。行動のパターンとしては口を開けたあと、体をよじる行動が認められたために、これら２つを分類して時間を求めた。
【００１７】
いずれの行動についても、導波管までの距離が短い場合は行動を示すまでの時間が短かくなる傾向が認められた。
カラスは筋肉弛緩剤を投与していたために、マイクロ波照射前において十分安静状態であったにもかかわらず、大きくばたつき、固定台から逃げようとする行動が観察されたことから忌避効果があると考えられる。
【００１８】
以上の実験結果から、マイクロ波はカラス等の鳥類に対して忌避効果を有していることが確認された。このことはマイクロ波照射では筋肉が弛緩している状態にもかかわらず、大きくばたつき、固定台から逃れようとするカラスの行動から容易に判断できる。
出力については、鉄塔における防除を考慮したとき、飛来したカラスをより短時間で照射部位の温度を上昇させる必要があり、例えば
１．８秒以内に１０℃上昇させるためには、マイクロ波では導波管の照射口直後の出力として、家庭用電子レンジで使用されている約５００Ｗ以上であれば有効である。
【００１９】
家庭用のマイクロ波の発振器は安価であり、その拡散を抑える手段を講じることにより上記した出力を有する装置を容易に提供することができる。
【００２０】
【発明の効果】
本発明の鳥害防止装置によれば、マイクロ波発振器として家庭用電子レンジ等で使用されている発振周波数２．４５ＧＨｚ、出力５００Ｗ以上のマイクロ波管を使用できるので、低コストな鳥害防止装置を提供できる。
さらに、従来の威嚇音や鳥類の視覚等を利用した刺激方法では、学習による慣れにより防除効果の持続性がないという問題があったが、本発明ではマイクロ波により鳥類に肉体的苦痛を与えるため、学習による慣れは生じにくく、持続的な防除効果を発揮することができる。
【図面の簡単な説明】
【図１】本発明の鳥害防止装置のブロック図である。
【図２】高圧送電鉄塔の下部に鳥害防止装置を設け垂直方向にマイクロ波を走査する状態を示す正面図である。
【図３】図２の側面図である。
【図４】高圧送電鉄塔で水平方向にマイクロ波を走査する状態を示す平面図である。
【図５】マイクロ波照射による最高到達温度および到達時間を示す図である。
【図６】マイクロ波照射開始から「口を開ける」、「体をよじる」行動が認められるまでの時間を示す図である。
【符号の説明】
１  送電鉄塔
２  鳥害防止装置
３，４，５  構造部材
６  マイクロ波発振器
７  同軸ケーブル
８  アンテナ
９  走査機構
１０  軸
１１，１２  構造部材
【図１】
0003756319.tif 000002
【図２】
0003756319.tif 000003
【図３】
0003756319.tif 000004
【図４】
0003756319.tif 000005
【図５】
0003756319.tif 000006
【図６】
0003756319.tif 000007